(57)【要約】【課題】番組記録送信装置で予約記録した番組をネットワーク経由で携帯端末装置側にて簡単に受信及び操作することが出来るデータ送受信装置を提供する。【解決手段】携帯端末装置２００から番組の予約処理が実行されると、番組記録送信装置１００において、非圧縮で番組を記録すると同時に、携帯端末装置２００の属性に応じた圧縮モードで番組が記録される。記録が完了すると携帯端末装置２００に対して記録した番組を送信する。これにより最適な圧縮モードで記録された番組を携帯端末装置２００で視聴することができる。【選択図】  図１
2005005849.tif 000002
【特許請求の範囲】
【請求項１】
外部機器との間で情報を送受信するデータ送受信装置であって、
番組を受信する番組受信手段と、
予約記録情報に基づいて予約記録の設定を行う予約記録情報設定手段と、
前記番組受信手段で受信した番組を所定の圧縮モードで記録する第１の記録手段と、
前記予約記録情報に基づいて圧縮モードを決定し、前記番組受信手段で受信した番組を、前記圧縮モードで記録する第２の記録手段と、
前記外部機器との間で情報を送受信する送受信手段と、
前記第２の記録手段で記録された番組を前記送受信手段を介して前記外部機器に送信する記録番組送信管理手段とを備えたことを特徴とするデータ送受信装置。
【請求項２】
送受信手段は、第２の記録手段において記録が完了したとき、外部機器に対して記録完了通知を送信することを特徴とする請求項１記載のデータ送受信装置。
【請求項３】
予約記録情報設定手段は、送受信手段を介して外部機器から受信した予約記録情報に基づいて予約記録の設定を行うことを特徴とする請求項２記載のデータ送受信装置。
【請求項４】
外部機器とデータ送受信装置との間で情報を送受信するシステムであって、
番組を受信する番組受信手段と、前記外部機器との間で情報を送受信する送受信手段と、前記送受信手段から取得した若しくはあらかじめ設定された予約記録情報に基づいて予約記録の設定を行う予約記録情報設定手段と、前記番組受信手段で受信した番組を所定の圧縮モードで記録する第１の記録手段と、前記予約記録情報に基づいて圧縮モードを決定し、前記番組受信手段で受信した番組を、前記圧縮モードで記録する第２の記録手段と、前記第２の記録手段において記録が完了したとき記録完了通知を前記外部機器へ送信し、前記外部機器から受信要求通知を受信すると、前記第２の記録手段で記録された番組を外部機器に送信する記録番組送信管理手段とを備えたデータ送受信装置と、
前記記録完了通知を受信すると受信準備処理を行い、受信許可状態になったとき受信要求通知を送信する外部機器と
から構成されるデータ送受信システム。
【請求項５】
外部機器との間で情報を送受信するデータ送受信方法であって、
番組を受信する第１のステップと、
予約記録情報に基づいて予約記録の設定を行う第２のステップと、
前記第１のステップで受信した番組を所定の圧縮モードで記録する第３のステップと、
前記予約記録情報に基づいて圧縮モードを決定し、前記第１のステップで受信した番組を、前記圧縮モードで記録する第４のステップと、
前記第４のステップで記録された番組を前記外部機器に送信する第５のステップとを有することを特徴とするデータ送受信方法。
【請求項６】
第４のステップで番組の記録が完了したとき、外部機器に対して記録完了通知を行う第６のステップをさらに有する請求項５記載のデータ送受信方法。
【請求項７】
第２のステップは、外部機器から受信した予約記録情報に基づいて予約記録の設定を行う請求項５記載のデータ送受信方法。
【請求項８】
第３のステップと第４のステップとは、独立して処理が行われることを特徴とする請求項５記載のデータ送受信方法。
【請求項９】
外部機器の再生位置マーク情報を取得する第７のステップと、
前記第７のステップで取得した再生位置マーク情報を、第３のステップで記録した番組と関連付けて記録する第８のステップとをさらに有する請求項５記載のデータ送受信方法。
【請求項１０】
第３のステップで記録した番組を、第４のステップで用いた圧縮モードとは異なる圧縮モードで記録する第９のステップをさらに有する請求項５記載のデータ送受信方法。
【請求項１１】
請求項５から１０いずれかに記載のステップをコンピュータに実行させるためのプログラム。
【請求項１２】
請求項５から１０いずれかに記載のステップをコンピュータに実行させるためのプログラムを格納したコンピュータ読み取り可能な記録媒体。
【発明の詳細な説明】
【０００１】
【発明の属する技術分野】
本発明は、ネットワークを経由して記録装置で受信した番組を携帯端末装置で再生することが出来るデータ送受信装置および方法、データ送受信システム、プログラムに関するものである。
【０００２】
【従来の技術】
ネットワークを経由して映像、音声及びデータといったコンテンツを受信して再生することは一般的に行われている。例えば、パソコンを使ってネットワーク経由で外部サーバにアクセスしてデータを受信後、ファイル選択してメディアプレイヤーなどで再生させるといった方法である。
【０００３】
一方、ネットワークを経由してサーバと録画装置によるコンテンツのリモート予約をする方法が開示されている（例えば、特許文献１参照）。
【０００４】
【特許文献１】
特開２００２−１５８９５１号公報
【０００５】
【発明が解決しようとする課題】
しかしながら、上述のようなデータ送受信装置においては、携帯端末装置で番組データの受信及び再生などの番組操作を行う場合に、携帯端末装置から番組を記録保存しているサーバなどへその都度アクセスして所望の番組を選択して番組データをダウンロードする必要があり、また前記サーバ側に携帯端末装置で再生可能な画面サイズが無い場合もあり携帯端末装置側で番組の再生を行うことができないという課題があった。
【０００６】
本発明は、上記課題を考慮し、番組記録送信装置において予約記録時に携帯端末装置で再生可能な画面サイズの番組データの作成及び予約記録完了時に携帯端末装置へ予約記録完了通知メールの送信を行うことで携帯端末装置において番組の受信及び再生を簡単な操作でできるデータ送受信装置、データ送受信方法、プログラムを提供することを目的とするものである。
【０００７】
【課題を解決するための手段】
上述した課題を解決するために、第１の本発明は、外部機器との間で情報を送受信するデータ送受信装置であって、番組を受信する番組受信手段と、予約記録情報に基づいて予約記録の設定を行う予約記録情報設定手段と、番組受信手段で受信した番組を所定の圧縮モードで記録する第１の記録手段と、予約記録情報に基づいて圧縮モードを決定し、番組受信手段で受信した番組を、圧縮モードで記録する第２の記録手段と、外部機器との間で情報を送受信する送受信手段と、第２の記録手段で記録された番組を送受信手段を介して外部機器に送信する記録番組送信管理手段とを備えている。
【０００８】
第２の本発明は、第２の記録手段において記録が完了したとき、外部機器に対して記録完了通知を送信するものである。
【０００９】
第３の本発明は、予約記録情報設定手段は、送受信手段を介して外部機器から受信した予約記録情報に基づいて予約記録の設定を行うものである。
【００１０】
第４の本発明は、外部機器とデータ送受信装置との間で情報を送受信するシステムであって、番組を受信する番組受信手段と、外部機器との間で情報を送受信する送受信手段と、送受信手段から取得した若しくはあらかじめ設定された予約記録情報に基づいて予約記録の設定を行う予約記録情報設定手段と、番組受信手段で受信した番組を所定の圧縮モードで記録する第１の記録手段と、予約記録情報に基づいて圧縮モードを決定し、番組受信手段で受信した番組を、圧縮モードで記録する第２の記録手段と、第２の記録手段において記録が完了したとき記録完了通知を外部機器へ送信し、外部機器から受信要求通知を受信すると、第２の記録手段で記録された番組を外部機器に送信する記録番組送信管理手段とを備えたデータ送受信装置と、記録完了通知を受信すると受信準備処理を行い、受信許可状態になったとき受信要求通知を送信する外部機器とから構成される。
【００１１】
第５の本発明は、外部機器との間で情報を送受信するデータ送受信方法であって、番組を受信する第１のステップと、予約記録情報に基づいて予約記録の設定を行う第２のステップと、第１のステップで受信した番組を所定の圧縮モードで記録する第３のステップと、予約記録情報に基づいて圧縮モードを決定し、第１のステップで受信した番組を、圧縮モードで記録する第４のステップと、第４のステップで記録された番組を外部機器に送信する第５のステップとを有している。
【００１２】
第６の本発明は、第４のステップで番組の記録が完了したとき、外部機器に対して記録完了通知を行う第６のステップをさらに有している。
【００１３】
第７の本発明は、第２のステップは、外部機器から受信した予約記録情報に基づいて予約記録の設定を行うものである。
【００１４】
第８の本発明は、第３のステップと第４のステップとは、独立して処理が行われるものである。
【００１５】
第９の本発明は、外部機器の再生位置マーク情報を取得する第７のステップと、第７のステップで取得した再生位置マーク情報を、第３のステップで記録した番組と関連付けて記録する第８のステップとをさらに有している。
【００１６】
第１０の本発明は、第３のステップで記録した番組を、第４のステップで用いた圧縮モードとは異なる圧縮モードで記録する第９のステップをさらに有している。
【００１７】
第１１の本発明は、第５から第１０の本発明に記載のステップをコンピュータに実行させるためのプログラムである。
【００１８】
第１２の本発明は、第５から第１０の本発明に記載のステップをコンピュータに実行させるためのプログラムを格納したコンピュータ読み取り可能な記録媒体である。
【００１９】
【発明の実施の形態】
以下に、本発明の実施の形態を図面を参照して説明する。
【００２０】
図１は、本発明の実施の形態１によるデータ送受信装置の構成を説明するための図である。以下、図１を用いて上記データ送受信装置の構成を説明する。
【００２１】
１００は番組記録送信装置であり、２００は携帯端末装置であり、３００はネットワークである。１０１から１１５は番組記録送信装置（１００）内部の各手段であり、１０１はチューナーであり、１０２はチューナー（１０１）で番組（例えば、映像信号、音声信号、データ信号）を受信するためのチューナー制御手段である。これらは番組を受信する番組受信手段である。１０３〜１０５は記録手段であり、１０３は非圧縮モードの番組データを圧縮するためのデータ圧縮手段であり、１０４はハードディスク装置である。１０５はハードディスク装置（１０４）に番組を記録及び再生（例えば、記録先頭からのシーケンシャル再生及び指定されたデータ部分再生であるランダム再生）するためのハードディスク制御手段である。
【００２２】
１０６は番組記録送信装置（１００）で設定すべきシステム情報の設定を行うためのシステム情報設定手段である。システム情報とは、例えば、番組記録送信装置（１００）の番組記録送信装置情報として機器番号（番組記録送信機器番号という）やネットワーク番号（番組記録送信機器ネットワーク番号という）及び携帯端末装置（２００）の携帯端末装置情報として機器番号（携帯端末番号という）やネットワーク番号（携帯端末ネットワーク番号）及び番組記録送信装置（１００）と携帯端末装置（２００）間でアクセスする場合の認証情報（例えば、ユーザＩＤやパスワード）等である。
【００２３】
１０７は番組を予約記録し、また番組データを携帯端末装置（２００）へ送信するために必要な予約記録情報（例えば、番組チャンネル、番組名、予約パターン（単発、毎週毎日）、予約記録日・開始時刻・終了時刻、送信先の携帯端末番号、圧縮モード、携帯通知情報）を設定する予約記録情報設定手段であり、１０８は予約記録情報設定手段（１０７）で設定された予約記録情報に従って番組を予約記録するための予約記録実行手段である。
【００２４】
１０９は、記録された番組データを携帯端末装置（２００）へ送信し、また携帯端末装置（２００）からの要求を制御するための記録番組送信管理手段である。１１０は携帯端末装置（２００）との間でやりとりされるメールの作成及び送受信を行うメール送受信手段であり、１１１は携帯端末装置（２００）とネットワーク経由でデータを送受信するためのデータ送受信手段である。
【００２５】
１１２はチューナー（１０１）で受信した番組やハードディスク装置（１０４）に記録された番組を再生表示するために必要なデータの復調を行うデータ復調手段であり、１１３はハードディスク装置（１０４）に記録されている番組の再生すべき再生位置マーク情報を番組編集情報として管理する番組編集情報管理手段であり、１１４は番組や各操作のユーザ操作ガイドなどを表示する表示手段である。
【００２６】
１１５はチューナー受信手段（１０２）やデータ圧縮手段（１０３）やハードディスク制御手段（１０５）やシステム情報設定手段（１０６）や予約記録情報設定手段（１０７）や予約記録実行手段（１０８）や記録番組送信管理手段（１０９）やメール送受信手段（１１０）やデータ送受信手段（１１１）やデータ復調手段（１１２）や番組編集情報管理手段（１１３）や表示手段（１１４）の各手段間の調停などを行うためのシステム制御手段である。
【００２７】
また、２０１から２０９は携帯端末装置（２００）内部の各手段であり、２０１はメモリー装置（例えばメモリーカードやハードディスク装置）であり、２０２はメモリー装置（２０１）にデータを記録再生するためのメモリー装置制御手段である。
【００２８】
２０３は携帯端末装置（２００）で設定すべきシステム情報の設定を行うためのシステム情報設定手段である。システム情報とは、例えば、携帯端末番号、携帯端末ネットワーク番号、番組記録送信機器番号、番組記録送信機器ネットワーク番号、認証情報等である。
【００２９】
２０４は番組記録送信装置（１００）とネットワーク経由でデータを送受信するためのデータ送受信手段であり、２０５は番組記録送信装置（１００）との間でやりとりされるメールの作成及び送受信を行うメール送受信手段であり、２０６は番組記録送信装置（１００）の記録番組の受信及び操作を行う記録番組受信操作手段であり、２０７は受信した番組を再生表示するために必要なデータの復調を行うデータ復調手段である。
【００３０】
２０８は番組や各操作のユーザ操作ガイドなどを表示するための表示手段であり、２０９はメモリー装置制御手段（２０２）やシステム情報設定手段（２０３）やデータ送受信手段（２０４）やメール送受信手段（２０５）や記録番組受信操作手段（２０６）やデータ復調手段（２０７）や表示手段（２０８）の各手段間の調停などを行うためのシステム制御手段である。
【００３１】
図２〜図１２は図１で示されたデータ送受信装置の動作をあらわすフローチャートである。ここで、図２〜図６、及び図１２は番組記録送信装置（１００）における処理に関するフローチャートであり、図２はメイン処理の動作フローであり、図３はシステム情報設定処理の動作フローであり、図４は番組の予約記録情報設定動作フローであり、図５は番組の予約記録実行動作を示すフローチャートであり、図６は予約記録完了通知メールを携帯端末装置（２００）へ送信する動作フローであり、図１２は携帯端末装置（２００）からの各処理要求に対する受信処理の動作フローある。
【００３２】
一方、図７〜図１１は携帯端末装置（２００）における処理に関するフローチャートであり、図７は番組データの受信及び操作に関するメイン処理の動作フローであり、図８はシステム情報設定の動作フローであり、図９は番組記録装置（１００）から予約記録完了通知メールの受信動作フローであり、図１０は受信番組操作（例えば、番組の再生、停止、再生位置マーク情報設定、圧縮モード変換、番組削除）の制御動作フローであり、図１１は番組記録送信装置（１００）内で管理されている予約記録情報の変更動作フローである。
【００３３】
次に、図１〜図１２を用いて、本実施の形態１によるデータ送受信装置の動作について説明する。
【００３４】
まず、図２を用いて番組記録送信装置（１００）のメイン処理の動作フロー及び詳細処理について説明する。まずシステム情報設定手段（１０６）において携帯端末装置（２００）との機器認証を行うためのシステム情報の設定を行う（図２のステップ２ａ）。つづいて番組の予約記録情報設定手段（１０７）において予約記録情報の設定を行う（図２のステップ２ｂ）。つづいて予約記録実行手段（１０８）において予約記録実行処理を行い（図２のステップ２ｃ）、さらに携帯端末装置（２００）からの各要求の受信処理を行う（図２のステップ２ｄ）。
【００３５】
次に各ステップの詳細な処理について説明する。
【００３６】
図２のステップ２ａに記載したシステム情報設定処理の処理について図３を用いて説明する。システム情報設定処理が開始すると、まず番組記録送信装置情報（例えば、番組記録送信機器番号や番組記録送信機器ネットワーク番号）の設定を行う（図３のステップ３ａ）。次に携帯端末装置情報（例えば、携帯端末番号や携帯端末ネットワーク番号）の設定を行い（図３のステップ３ｂ）、次に番組記録送信装置（１００）と携帯端末装置（２００）間でアクセスする場合の認証情報（例えば、ユーザＩＤやパスワード））の設定を行う（図３のステップ３ｃ）。そして携帯端末装置（２００）が複数ある場合は、番組データの送信先に設定する携帯端末装置（２００）に関して、ステップ３ｂ及びステップ３ｃの設定処理を繰り返す。
【００３７】
次に図２のステップ２ｂに記載された予約記録情報設定処理について図４を用いて説明する。予約記録情報設定処理が開始すると、予約記録情報設定手段（１０７）において予約記録したい番組の予約記録情報（例えば、番組チャンネル、番組名、予約パターン（単発、毎週毎日）、予約記録日・開始時刻・終了時刻、送信先の携帯端末番号、圧縮モード、携帯通知情報）の設定を行う（図４のステップ４ａ）。そして予約記録情報を保持するためにハードディスク装置（１０４）へ書き込み保存する（図４のステップ４ｂ）。
【００３８】
次に図２のステップ２ｃに記載された予約記録実行処理について図５を用いて説明する。予約実行手段（１０８）において予約記録情報に基づいて予約記録実行を開始すると、まず予約記録実行中かどうかの判断を行う（図５のステップ５ａ）。そして結果が真の場合はハードディスク装置（１０４）及びハードディスク制御手段（１０５）によって非圧縮モードで番組の記録を行う（図５のステップ５ｂ）。そして予約実行手段（１０７）において予約記録情報の圧縮モード設定があるかどうかの判断を行い（図５のステップ５ｃ）、結果が真の場合はデータ圧縮手段（１０３）によって非圧縮モードでの記録と同時に記録できる圧縮モードを用いてデータ圧縮記録処理を行う（図５のステップ５ｄ）。  一方図５のステップ５ａの結果が偽の場合は予約実行手段（１０７）において今回の予約記録が終了したかどうかの判断を行い（図５のステップ５ｅ）、結果が真の場合はデータ圧縮記録処理（図５のステップ５ｄ）で用いた圧縮モード以外に予約記録情報の圧縮モードが設定されているかどうかの判断を行い（図５のステップ５ｆ）、結果が真の場合は未使用の圧縮モードを用いてデータ圧縮記録処理を行い（図５のステップ５ｇ）、データ圧縮記録処理（図５のステップ５ｇ）の完了後に携帯端末装置（２００）へ予約記録完了通知メールを送信する（図５のステップ５ｈ）。
【００３９】
ここで図５のステップ５ｈに記載した携帯端末への通知処理について図６を用いて説明する。通知処理が開始すると、まず予約記録実行手段（１０８）において予約記録情報の中で携帯通知設定情報が設定されているかどうかの判断を行う（図６のステップ６ａ）。そして結果が真の場合は携帯端末装置情報（例えば、携帯端末番号や携帯端末ネットワーク番号）及び認証情報（例えば、ユーザＩＤやパスワード）を用いて携帯端末装置（２００）との自動認証を行う（図６のステップ６ｂ）。認証結果がＯＫなら携帯端末装置（２００）へ予約記録実行が完了したことを示す予約記録完了通知メールの送信処理を行い携帯通知予約記録情報（例えば、番組チャンネル、番組名、予約パターン（単発、毎週毎日）、予約記録日・開始時刻・終了時刻、圧縮モード）を送信する（図６のステップ６ｃ）。一方ステップ６ｂの結果がＮＧの場合は、通信不可メッセージ表示を行い（図６のステップ６ｄ）処理を終了する。
【００４０】
図２のステップ２ｄに記載された携帯端末要求受信処理の詳細動作については、携帯端末送信装置（２００）の動作説明後に詳述する。
【００４１】
次に、携帯端末送信装置（２００）の番組受信に関するメイン処理の動作フローについて図７を用いて説明する。
【００４２】
処理が開始すると、まずシステム情報設定手段（２０３）において番組記録送信装置（１００）との機器認証を行うためのシステム情報の設定を行う（図７のステップ７ａ）。次にメール送受信装置（２０５）において番組記録送信装置（１００）から予約記録完了通知メールの受信処理及び番組データの受信処理を行う（図７のステップ７ｂ）。つづいて記録番組受信操作手段（２０６）において番組記録送信装置（１００）から受信した番組操作（例えば、再生、再生停止、再生位置マーク情報設定、圧縮モード変換、削除）処理を行う（図７のステップ７ｃ）。そして番組記録送信装置（１００）の予約記録情報設定手段（１０７）において設定管理されている予約記録情報の変更を行う（図７のステップ７ｄ）。
【００４３】
次に各ステップの詳細な処理について説明する。
【００４４】
図７のステップ７ａに記載されたシステム情報設定の処理について図８を用いて説明する。システム情報設定処理が開始すると、まず携帯端末装置情報（例えば、携帯端末番号や携帯端末ネットワーク番号）の設定を行う（図８のステップ８ａ）。次に番組記録送信装置情報（例えば、番組記録送信機器番号や番組記録送信機器ネットワーク番号）の設定を行い（図８のステップ８ｂ）、次に番組記録送信装置（１００）と携帯端末装置（２００）間でアクセスする場合の認証情報（例えば、ユーザＩＤやパスワード））の設定を行う（図８のステップ８ｃ）。
【００４５】
ここで番組記録送信装置（１００）が複数ある場合は、番組データの送信元に設定する番組記録送信装置（１００）に関して、ステップ８ｂステップ８ｃの設定処理をつづけて行う。なお、ステップ８ａとステップ８ｂとステップ８ｃおよび図３のステップ３ａとステップ３ｂステップ３ｃで設定される情報は送信元と送信先との組み合わせにおいて同じ情報を設定するものとする。
【００４６】
次に図７のステップ７ｂに記載された予約記録完了通知受信処理について図９を用いて説明する。予約記録完了通知受信処理が開始すると、まずメール送受信装置（２０５）において予約記録完了通知メールが有ったかどうかの判断を行う（図９のステップ９ａ）。そして結果が真の場合は予約記録完了通知メール内容である携帯通知予約記録情報の表示を行い（図９のステップ９ｂ）、記録番組受信操作手段（２０６）において番組記録送信装置（１００）から携帯端末装置（２００）への番組データの受信をするかどうかの判断を行う（図９のステップ９ｃ）。そして結果が真の場合は圧縮モード指定処理（図９のステップ９ｄ）を行い（以降の処理は後述する）、結果が偽の場合は処理を終了する。
【００４７】
一方ステップ９ａの結果が偽の場合は、携帯端末装置（２００）から番組記録送信装置（１００）に対する番組受信要求が有るかどうかの判断を行う（図９のステップ９ｇ）。そして結果が真の場合は番組記録送信装置情報（例えば、番組記録送信機器番号や番組記録送信機器ネットワーク番号）及び認証情報（例えば、ユーザＩＤやパスワード）を用いて番組記録送信装置（１００）との自動認証を行う（図９のステップ９ｈ）。認証結果がＯＫなら番組記録送信装置（１００）における予約記録がすでに完了している予約記録完了番組情報の取得処理を行い（図９のステップ９ｉ）、予約記録完了番組情報の表示及び受信したい番組選択処理を行い（図９のステップ９ｊ）、圧縮モード指定処理（図９のステップ９ｄ）を行う。以降の処理については後述する。一方、ステップ９ｈの結果がＮＧの場合は通信不可メッセージの表示処理を行い（図９のステップ９ｋ）、処理を終了する。
【００４８】
次にステップ９ｄ以降の処理について説明する。記録番組受信操作手段（２０６）において受信したい番組データの圧縮モードの指定処理（図９のステップ９ｄ）を行い、番組データの受信における転送モード（例えば、番組データすべてを転送するフル転送モードや番組データの特定フレームや再生位置マーク情報設定部分などデータの一部を転送する部分転送モード）の指定を行い（図９のステップ９ｅ）、データ送受信手段（２０４）を用いて番組記録送信装置（１００）に対する番組受信要求及び番組データの受信及びメモリー装置（２０１）への記録処理を行う（図９のステップ９ｆ）。ここで図９のステップ９ｆにおいては、図９のステップ９ｈと同様に自動認証を行い結果がＯＫの場合に番組データの受信処理を行うものとする。
【００４９】
次に図７のステップ７ｃの受信番組操作処理について、図１０を用いて説明する。受信番組操作処理が開始すると、まず記録番組受信操作手段（２０６）において番組記録送信装置（１００）からメモリー装置（２０１）への番組データの受信が完了したかどうかの判断を行う（図１０のステップ１０ａ）。そして結果が真の場合は番組再生要求があるかどうかの判断を行う（図１０のステップ１０ｂ）。この結果が真の場合には、メモリー装置（２０１）及びメモリー装置制御手段（２０２）及びデータ復調手段（２０７）及び表示手段（２０８）を用いて番組の再生表示を行う（図１０のステップ１０ｇ）。ここで記録番組受信操作手段（２０６）によって番組の再生中の番組の先頭位置からの再生位置マーク情報（例えば、経過時間情報）をカウントするものとする。
【００５０】
一方、図１０のステップ１０ｂにおける結果が偽の場合は、番組再生停止要求があるかどうかの判断を行う（図１０のステップ１０ｃ）。そして結果が真の場合は番組の再生の停止処理を行う（図１０のステップ１０ｈ）。
【００５１】
一方、結果が偽の場合は再生位置マーク情報設定要求があるかどうかの判断を行う（図１０のステップ１０ｄ）。そして結果が真の場合は、再生番組の再生位置マーク情報を確定し（図１０のステップ１０ｉ）、データ送受信手段（２０４）を用いて番組記録送信装置（１００）に対する再生位置マーク情報設定要求処理を行う（図１０のステップ１０ｊ）。
【００５２】
一方、結果が偽の場合は予約記録情報設定時に設定しなかった圧縮モードで番組記録送信装置（１００）にて記録作成可能な他の圧縮モードによる番組データの受信及び再生するための番組圧縮モード変換要求があるかどうかの判断を行う（図１０のステップ１０ｅ）。そして結果が真の場合は新たに記録作成する圧縮モードの指定を行い（図１０のステップ１０ｋ）、データ送受信手段（２０４）を用いて番組記録送信装置（１００）に対する圧縮モード変換要求処理を行い（図１０のステップ１０ｌ）、図９記載のフローにおいて携帯端末装置（２００）側での次回の番組データの受信要求処理を行うことで、新たに指定した圧縮モードの番組データの受信及び操作が可能になる。
【００５３】
一方、図１０のステップ１０ｅの結果が偽の場合は番組削除要求があるかどうかの判断を行い（図１０のステップ１０ｆ）、結果が真の場合は、番組記録送信装置（１００）内のハードディスク装置（１０４）内に記録されている番組において削除したい圧縮モード（例えば、非圧縮モード、圧縮モード１、圧縮モード２）を選択し、携帯端末装置（２００）のメモリー装置（２０１）内に受信した番組データの削除処理を行う（図１０のステップ１０ｍ）。そしてデータ送受信手段（２０４）を用いて番組記録送信装置（１００）に対する番組削除要求処理を行う（図１０のステップ１０ｎ）。なお図１０のステップ１０ｊ及び図１０のステップ１０ｌ及び図１０のステップ１０ｎでは、図９のステップ９ｈと同様に自動認証を行い結果がＯＫの場合に各要求処理を行うものとする。
【００５４】
次に図７のステップ７ｄの予約記録情報変更処理について、図１１を用いて説明する。予約記録情報変更処理が開始すると、まず記録番組受信操作手段（２０６）において予約記録条件変更要求があるかどうかの判断を行う（図１１のステップ１１ａ）。そして結果が真の場合は予約記録情報の取得要求及び番組記録送信装置（１００）から予約記録情報を取得し（図１１のステップ１１ｂ）、予約記録情報（例えば、番組チャンネル、番組名、予約パターン（単発、毎週毎日）、予約記録日・開始時刻・終了時刻、圧縮モード、携帯通知情報）の表示処理を行う（図１１のステップ１１ｃ）。次に変更したい予約記録情報の変更処理を行い（図１１のステップ１１ｄ）、データ送受信手段（２０４）を用いて番組記録送信装置（１００）に対する予約記録情報の変更要求処理を行う（図１１のステップ１１ｅ）。なお図１１のステップ１１ｂ及び図１１のステップ１１ｅでは、図９のステップ９ｈと同様に自動認証を行い結果がＯＫの場合に各要求処理を行うものとする。
【００５５】
次に図２のステップ２ｄに記載された携帯端末要求受信処理について図１２を用いて説明する。携帯端末要求受信処理が開始すると、まず記録番組送信管理手段（１０９）において携帯端末装置（２００）からの要求内容が判別される（図１２のステップ１２ａ）。そして要求内容が番組受信要求の場合は、受信要求された番組データの送信処理を行う（図１２のステップ１２ｇ）。
【００５６】
携帯端末装置（２００）からの要求内容が予約記録完了番組情報の取得要求の場合（ステップ１２ｂ）は、番組記録送信装置（１００）において予約記録がすでに完了している予約記録完了番組情報の送信処理を行う（図１２のステップ１２ｈ）。
【００５７】
携帯端末装置（２００）からの要求内容が予約記録情報送信要求の場合（ステップ１２ｃ）は、予約記録情報の送信処理を行う（図１２のステップ１２ｉ）。
【００５８】
携帯端末装置（２００）からの要求内容が再生位置マーク情報設定要求の場合（ステップ１２ｄ）は、記録番組送信管理手段（１０９）及び番組編集情報管理手段（１１３）において、ハードディスク装置（１０４）に記録されている該当番組の指定された圧縮モードで記録された番組データにおける再生位置マーク情報をハードディスク装置（１０４）へ記録する（図１２のステップ１２ｊ）。
【００５９】
携帯端末装置（２００）からの要求内容が番組削除要求の場合（ステップ１２ｅ）は記録番組送信管理手段（１０９）において、ハードディスク装置（１０４）に記録されている該当番組の指定された圧縮モードで記録された番組データを削除する（図１２のステップ１２ｋ）。
【００６０】
携帯端末装置（２００）からの要求内容が予約記録情報変更要求の場合（ステップ１２ｆ）、は予約記録情報設定手段（１０７）において予約記録情報の変更処理を行う（図１２のステップ１２ｌ）。
【００６１】
このような番組記録送信装置及び携帯端末装置及びネットワークで構成されるデータ送受信装置の一例として、番組記録送信装置において記録したい番組を複数の圧縮モード（例えば、非圧縮モード、圧縮モード１、圧縮モード２）にて予約記録するものが挙げられる。圧縮モードは携帯端末装置によって異なる可能性があるため、番組記録送信装置においては出来る限り多くの圧縮モードによる記録機能を実装し、予約記録情報の設定において番組一つについて複数の圧縮モードの設定及び予約記録実行において複数の圧縮モードによる番組データの記録作成機能を有する。
【００６２】
そして番組記録送信装置において予約記録完了後にあらかじめ登録しておいた送信先の携帯端末装置へ自動的に予約記録完了通知メールを送信する。一方携帯端末側では予約記録完了通知メールを受信したら、予約記録された番組データの受信及び操作を行うためにユーザ操作により番組データの受信条件（例えば、圧縮モード、転送モード）の指定を行い、番組記録送信装置への受信要求を行う。
【００６３】
なお転送モードの例としては、番組データすべてを転送するフル転送モードや番組データの特定フレームや再生位置マーク情報設定部分などデータの一部を転送する部分転送モードが挙げられる。番組データの受信完了後に携帯端末装置において番組操作（例えば、再生、停止、再生位置マーク情報設定、番組圧縮モード変換、削除である。）を行うことが出来る。
【００６４】
なお、再生位置マーク情報設定とは携帯端末側で再生中にお気に入りシーンなどをマークする操作であり、設定された再生位置マーク情報を番組記録送信装置で記録されている送信元の番組データにも設定する。そして再度番組データを受信する場合に転送モードとして再生位置マーク情報部分転送モードを指定することで、お気に入りシーンだけを再生するといった使い方が可能である。また、携帯端末装置（２００）から番組記録送信装置（１００）で設定されている予約記録情報を変更することが可能であり、例えば受信再生した番組の予約記録情報を元に、予約パターンを変更する（例えば、毎日毎週予約の設定にする）ことで以後定期的に同じ番組シリーズの記録及び携帯端末装置（２００）における番組データの受信及び操作を可能にする。また、番組記録送信装置（１００）で予約記録完了通知メール受信の場合に限らず、携帯端末装置（２００）側の操作によって同一番組データを複数回、受信及び再生することができる。
【００６５】
このように、本実施の形態によれば、番組記録送信装置（１００）及び携帯端末装置（２００）及びネットワーク（３００）で構成されるデータ送受信装置において、番組記録送信装置にて記録したい番組を複数の圧縮モード（例えば、非圧縮モード、圧縮モード１、圧縮モード２）にて予約記録を行い、予約記録が完了したら自動的に携帯端末装置に予約記録完了通知メールの送信を行うことで、携帯端末装置側の簡単な操作にて所望の番組の受信及び操作を行うことが出来る。
【００６６】
なお、本発明のデータ送受信装置における記録番組送信装置は、本実施の形態におけるチューナーで受信した番組に限らず、番組供給可能な外部機器の番組を入力として予約記録を行うことでもよい。
【００６７】
また、本発明のデータ送受信装置における記録番組送信装置は、本実施の形態における予約記録した番組に限らず、通常記録操作で記録した番組についても携帯端末装置側の操作によって番組データの受信及び再生することが可能である。
【００６８】
また、記録番組送信装置において携帯端末装置からの番組データ受信要求回数に制限を持たせることで番組の著作権保護することも可能である。
【００６９】
尚、本発明のプログラムは、上述した本発明のデータ送受信装置の制御方法の全部又は一部のステップ（又は、工程、動作、作用等）の動作をコンピュータにより実行させるためのプログラムであって、コンピュータと協働して動作するプログラムである。
【００７０】
又、本発明の上記「手段（又は、装置、素子等）の機能」とは、前記手段の全部又は一部の機能を意味し、本発明の上記「ステップ（又は、工程、動作、作用等）の動作」とは、前記ステップの全部又は一部の動作を意味する。
【００７１】
【発明の効果】
以上説明したところから明らかなように、本発明は、番組記録送信装置で予約記録した番組をネットワーク経由で携帯端末装置側にて簡単に受信及び操作することが出来るデータ送受信装置、データ送受信装置の制御方法及びプログラムを提供することが出来る。
【図面の簡単な説明】
【図１】本発明の実施の形態１におけるデータ送受信装置を示す図
【図２】本発明の実施の形態１における番組記録送信装置のメイン処理のフローチャート
【図３】本発明の実施の形態１における番組記録送信装置のシステム情報設定処理のフローチャート
【図４】本発明の実施の形態１における番組記録送信装置の予約記録設定処理のフローチャート
【図５】本発明の実施の形態１における番組記録送信装置の予約記録実行処理のフローチャート
【図６】本発明の実施の形態１における番組記録送信装置の携帯端末装置への通知処理のフローチャート
【図７】本発明の実施の形態１における携帯端末装置の番組受信・操作のメイン処理フローチャート
【図８】本発明の実施の形態１における携帯端末装置のシステム情報設定処理のフローチャート
【図９】本発明の実施の形態１における携帯端末装置の予約記録完了通知受信処理のフローチャート
【図１０】本発明の実施の形態１における携帯端末装置の受信番組操作処理のフローチャート
【図１１】本発明の実施の形態１における携帯端末装置の予約記録情報変更処理のフローチャート
【図１２】本発明の実施の形態１における番組記録送信装置の携帯端末要求受信処理のフローチャート
【符号の説明】
１００  番組記録送信装置
１０１  チューナー
１０２  チューナー制御手段
１０３  データ圧縮手段
１０４  ハードディスク装置
１０５  ハードディスク制御手段
１０６、２０３  システム情報設定手段
１０７  予約記録情報設定手段
１０８  予約記録実行手段
１０９  記録番組送信管理手段
１１０、２０５  メール送受信手段
１１１、２０４  データ送受信手段
１１２、２０７  データ復調手段
１１３  番組編集情報管理手段
１１４、２０８  表示手段
１１５、２０９  システム制御手段
２００  携帯端末装置
２０１  メモリー装置
２０２  メモリー装置制御手段
２０６  記録番組受信操作手段
３００  ネットワーク
【図１】
2005005849.tif 000003
【図２】
2005005849.tif 000004
【図３】
2005005849.tif 000005
【図４】
2005005849.tif 000006
【図５】
2005005849.tif 000007
【図６】
2005005849.tif 000008
【図７】
2005005849.tif 000009
【図８】
2005005849.tif 000010
【図９】
2005005849.tif 000011
【図１０】
2005005849.tif 000012
【図１１】
2005005849.tif 000013
【図１２】
2005005849.tif 000014